(57)【特許請求の範囲】
【請求項１】
記録媒体に記録された画像データに基づく画像を表示部に表示させる表示制御装置において、
画像の切り換え指示に応じて特定の画像関連情報に基づいて配列される順番で画像の切り換えを管理する画像管理部と、
上記特定の画像関連情報を表示するか否かを選択して上記画像管理部による管理に基づいて画像を表示部に表示させる表示制御部と、
を備え、
上記表示制御部は、上記切換指示が連続的になされている場合には、上記特定の画像関連情報に基づいて配列される順番で画像を順次連続的に切り換えると共に、画像の連続的な切り換え表示の実行中には表示中の画像に各対応する上記特定の画像関連情報の表示をおこない、画像の連続的な切り換え表示の実行が停止された後には上記特定の画像関連情報の表示をおこなわないように制御することを特徴とする表示制御装置。
【請求項２】
上記表示制御部は、画像の連続的な切り換え表示の実行中に上記特定の画像関連情報が一定範囲以上で変化があった場合には、画像の連続的な切り換え表示の実行を停止させる制御をおこなうことを特徴とする請求項１に記載の表示制御装置。
【請求項３】
上記表示制御部は、画像表示を切り換えるための操作部による所定の操作が解除されると、画像の連続的な切り換え表示の実行を停止させる制御をおこなうことを特徴とする請求項１に記載の表示制御装置。
【請求項４】
上記画像管理部は、特定の画像関連情報として撮影日時情報を用いることを特徴とする請求項１または請求項２または請求項３のうちのいずれか一項に記載の表示制御装置。
【請求項５】
上記画像管理部は、特定の画像関連情報として撮影位置情報を用いることを特徴とする請求項１または請求項２または請求項３のうちのいずれか一項に記載の表示制御装置。
【請求項６】
上記表示制御部は、特定の画像関連情報としてグループ分けされた画像が属する所定のグループ名を示すアルバム情報を用いるように制御することを特徴とする請求項１または請求項２または請求項３のうちのいずれか一項に記載の表示制御装置。
【請求項７】
請求項１〜請求項６のうちのいずれか一項に記載の表示制御装置を備えていることを特徴とするカメラ。
【請求項８】
記録媒体に記録された画像データに基づく画像を特定の画像関連情報に基づいて配列される順番で順次切り換えて表示部に表示させる表示制御方法において、
画像の切り換え指示が連続的になされている場合には、上記特定の画像関連情報に基づいて配列される順番で画像を連続的に切り換え表示する制御をおこなうと共に、連続的な切り換え表示の実行中には表示中の画像に各対応する上記特定の画像関連情報の表示をおこない、連続的な切り換え表示の実行が終了した後には上記特定の画像関連情報の表示をおこなわないように制御することを特徴とする表示制御方法。
【請求項９】
記録媒体に記録された画像データに基づく画像を特定の画像関連情報に基づいて配列される順番で順次切り換えて表示部に表示させる表示制御方法をコンピュータに実行させるプログラムにおいて、
画像の切り換え指示が連続的になされている場合には、上記特定の画像関連情報に基づいて配列される順番で画像を連続的に切り換え表示する制御をおこなうと共に、連続的な切り換え表示の実行中には表示中の画像に各対応する上記特定の画像関連情報の表示をおこなうステップと、
連続的な切り換え表示の実行が終了した後には上記特定の画像関連情報の表示をおこなわないようにするステップと、
を有することを特徴とする表示制御プログラム。
【発明の詳細な説明】
【技術分野】
【０００１】
この発明は、表示制御装置，カメラ，表示制御方法，表示制御プログラム、詳しくは記録媒体に記録された画像データに基づく画像を表示部に表示させる表示制御装置と、この表示制御装置を有するカメラと、上記表示制御装置に適用される表示制御方法及びこの表示制御方法をコンピュータに実行させる表示制御プログラムに関するものである。
【背景技術】
【０００２】
近年、撮影レンズを介して入射した被写体からの光束に基いて結像される光像を撮像素子により光電変換し電子的なデジタル画像データを生成し、この画像データを半導体メモリ等の記録媒体に記録し得ると共に、記録媒体に記録された画像データを読み込んで表示装置の表示部に画像として再生表示し得る画像表示装置を有して構成されたデジタルカメラが実用化され広く普及している。
【０００３】
このようなデジタルカメラによって取得され記録媒体に記録された画像データは、これを取得したデジタルカメラ自身だけではなく、同様の画像データを扱うことのできる他の画像表示装置や画像データ処理装置等の外部機器においても利用することができるようになっており、当該画像データを単に表示させるのみに留まらず、それらの画像データは、各種の用途に利用されている。
【０００４】
一方、このような従来のデジタルカメラや画像表示装置等（以下、デジタルカメラ等と略記する）においては、適用される記録媒体が安価になったことから、その記録容量が大容量化される傾向にある。これに伴って、例えばデジタルカメラによって取得されて、当該デジタルカメラの記録媒体に記録保存された画像データは、削除されたり他の大容量媒体へ移動されないまま、つまり、そのデジタルカメラの記録媒体上に多数の画像データが保持された状態のまま、そのデジタルカメラの使用が継続されるという傾向がある。このような場合、記録媒体上に記録される画像データ数は、記録媒体が大容量であるほど多数になるのは必然である。このことから、大容量の記録媒体を有する従来のデジタルカメラにおいては、これを画像表示装置として利用されることも多くなっている。
【０００５】
他方、一般的な従来のデジタルカメラにおいては、例えば撮影動作時点における撮影日時情報や設定した撮影条件等、撮影画像に関する関連情報（撮影情報ともいう）を、対応する撮影画像データのヘッダー部に付した形態の画像データファイルを生成し、これを記録媒体に記録するようにしている。そして、この場合におけるデータファイル形式等については、所定の規格が定められている（例えばＥｘｉｆ規格等）。
【０００６】
このようにして記録された画像データに基づく画像を画像表示装置を利用して再生表示する際には、記録媒体から画像データを読み込んで伸長処理を施した後、さらに表示用の画像信号を生成するための画像処理やリサイズ処理等をおこなって得られた画像信号を表示部へと送る。この画像信号を受けて表示部は、対応する画像の再生表示をおこなう。この場合において、記録媒体から読み込んだ画像データに付されている撮影情報も読み込まれて、そのうちの必要な情報については、指定の言語を表す文字や記号を用いた表示を表示部に表示中の画像に重畳させてた形態で表示することもおこなわれる。このとき表示される撮影情報としては、例えば撮影日時情報や絞り，シャッター速度等の露出情報，ホワイトバランス情報，露出補正の有無や補正量等がある。
【０００７】
ところで、デジタルカメラや画像表示装置を利用するのに際しては、例えばある特定の画像を表示させたり、その特定の画像のプリントをおこないたいという理由から、記録媒体に記録されている多数の画像データの中から所望の画像を検索することがおこなわれる。その場合には、上述のような手順によって、記録媒体に記録されている画像データに基づいて、表示部に画像の再生表示を順次おこないながら目的の画像を探すといったことがおこなわれる。
【０００８】
しかしながら、上述したように、近年においては、記録媒体自体の大容量化に伴って記録媒体に記録される画像データ数が増加していることから、これらの画像データに基づく画像を一つ一つ確認しながら目的画像を探していたのでは、非常に時間がかかってしまい効率的ではない。
【０００９】
また、画像を再生表示しながら目的の画像を探す場合においては、撮影日時等の撮影情報が重要な手がかりとなる機会が多い。画像検索をおこなう場合には、画像データに付される撮影日時情報は、特に重要な情報となっている。
【００１０】
従来一般に普及しているデジタルカメラや画像表示装置においては、画像を表示させるための表示部として、比較的小さなものが適用されているのが普通である。そのために、表示部に表示される小サイズの画像に重畳させて上記撮影情報等を表示させると、画像自体を明確に判別するのに不利な表示状態となってしまう。特に、デジタルカメラにおいては、大きな表示面積の表示部を採用するのに限界があるため、表示画像に撮影情報を重畳させて表示する方法をデジタルカメラで採用する際には問題が生じる場合があると言える。
【００１１】
そこで、従来のデジタルカメラにおいては、表示部に画像表示をおこなう際に撮影情報の表示をおこなうか否かの表示制御、即ち撮影情報の表示，非表示の選択を、使用者が所定の操作部材を任意に操作することで指示し得るように制御するものがある。
【００１２】
図１０は、従来のデジタルカメラにおける画像再生表示の際におこなわれる撮影情報の表示，非表示選択指示の操作手順の一例を示す説明図である。
【００１３】
まず、図１０（Ａ）に示すように、表示画面１２１ａの表示領域１２１ｄに画像番号１の画像が表示されていると共に、この画像に重畳させて撮影情報が表示されているものとする。なお、図１０（Ａ）において、画面左上隅の所定の領域１２１ｂに示される数字は画像番号を示すものとする。また、撮影情報は、表示領域１２１ｄの略中央部近傍の所定の範囲の領域１２１ｃに表示されるものとする。また、図面の煩雑化を避けるために、図１０（Ｂ）〜図１０（Ｆ）では符号を附するのを省略しているが、各領域を示す符号は図１０（Ａ）に準ずるものとする。
【００１４】
この状態において、使用者により、画像表示の切り換えをおこなうための操作部材である画像送りボタンが１回操作されると、表示画面１２１ａの表示は、図１０（Ｂ）に示すように切り換わる。即ち、画像番号２の画像が表示領域１２１ｄに表示され、これに重畳させて撮影情報が領域１２１ｃに表示される。
【００１５】
このように、画像に重畳させて撮影情報を表示した場合には、表示領域１２１ｄに表示される画像が領域１２１ｃに表示される撮影情報によって、その多くの領域を隠してしまい、画像を明確に確認することができない状況になる。
【００１６】
そこで、図１０（Ｂ）の状態において、使用者が、所定の操作部材を用いて撮影情報を非表示にする選択指示操作をおこなうことで、図１０（Ｃ）に示すように、表示領域１２１ｄに画像のみを表示させるように切り換えることができ、よって画像の確認を容易におこない得ることができるようになる。なお、この場合においても、図１０の例では、領域１２１ｂには画像番号が表示されている。
【００１７】
続いて、図１０（Ｃ）の状態で、使用者が再度画像送り操作をおこなうと、図１０（Ｄ）の状態、即ち撮影情報は非表示のまま、次の画像番号３の画像とその画像番号のみが表示領域１２１ｄ，１２１ｂに表示される。
【００１８】
ここで、図１０（Ｄ）の状態において、表示中の画像番号３に関する撮影情報の表示を所望する場合には、使用者は、所定の操作部材を用いて撮影情報を表示する選択指示操作をおこなうことで、図１０（Ｅ）に示すように、表示領域１２１ｄに画像を表示させ、これに重畳させて領域１２１ｃに撮影情報を表示させる表示に切り換えることができ、よって表示中の画像に関する撮影情報の確認をおこない得る。
【００１９】
ここで、図１０（Ｅ）の状態から、さらに使用者による画像送り操作がおこなわれると、図１０（Ｆ）に示すように、画像番号４の画像と共に、その撮影情報が重畳して表示される。
【００２０】
以上説明したように、従来のデジタルカメラを用いて画像表示をおこなう際に、撮影情報の表示，非表示をおこなうには、使用者が任意に選択切り換え操作を適宜おこなって画像と対応する撮影情報とを確認しながら、目的の画像の検索をおこなうことになる。
【００２１】
一方、従来のデジタルカメラにおいて、画像の再生表示をおこなう際に、画像と対応する撮影情報とを表示部に同時に表示させる方法については、上述した方法に限らず、例えば特開２００６―１２９３７０号公報等によって、従来種々の手段が提案されている。
【００２２】
上記特開２００６―１２９３７０号公報によって開示されているカメラは、画像表示用のカラー表示部と情報表示用のモノクロ表示部とを有し、情報表示をおこなう際の表示モードとして二つの表示形態、即ち通常表示モードと省略表示モードとを備えてなるものである。
【００２３】
通常表示モードの場合には、カラー表示部に表示される画像に重畳させて撮影情報を多数項目表示させるようにする一方、省略表示モードの場合には、通常表示モード時に表示される撮影情報の項目のうちの一部の項目、例えば露出補正の設定状態，撮影レンズの焦点距離，フラッシュライトの使用状態に関する情報等の項目の表示を省略して、カラー表示部に表示する撮影情報の項目を減らすことでカラー表示部に表示される撮影情報の表示領域を少なくするようにしている。これによって、カラー表示部では相対的に画像の内容を見やすくしている。そして、この場合においては、カラー表示部で表示を省略した撮影情報の項目については、情報表示部（モノクロ表示部）に表示させるというものである。
【特許文献１】特開２００６−１２９３７０号公報
【発明の開示】
【発明が解決しようとする課題】
【００２４】
ところが、上述の図１０によって示す従来のデジタルカメラの一例、即ち撮影情報の表示と非表示の切り換えを使用者の任意の選択操作による方法では、画像の確認や撮影情報の確認をするために、その都度、選択操作をおこなわなければならない。したがって、使用者は、画像送り操作に加えて表示切り換え操作を強いられてしまうことになり、快適な操作性であるとは言えないという問題点がある。
【００２５】
一方、上記特開２００６−１２９３７０号公報によって開示されている手段によれば、画像表示用の表示部のほかに情報表示用の表示部を別に有している必要がある。しかしながら、近年、一般に普及している小型のデジタルカメラ等では、この情報表示用のサブ表示部を備えず、画像表示用の表示部のみの構成のものが多いことを考えると、サブ表示部を新たに設ける必要があり、ひいては小型化を阻害したり製造コストが増大してしまう等の問題点が生じることになる。
【００２６】
また、仮にサブ表示部を設けずに、上記公報の手段を適用することも可能ではあるが、その場合には、省略表示モードの場合に省略した項目の表示は省略されたままになってしまう。したがって、省略表示モードで表示が省略された項目の撮影情報を確認したい場合には、改めて表示モードを切り換える操作が必要になり、よって操作性を阻害してしまうという問題点が生じる。
【００２７】
本発明は、上述した点に鑑みてなされたものであって、その目的とするところは、画像と対応する関連情報とを表示する画像表示部を備え、関連情報の表示に関する切り換え操作をせずとも、撮影画像の関連情報の表示が必要となるときには、その関連情報が適切に表示されると共に、関連情報の表示が必要でないときには、関連情報が非表示となるような表示制御を実現し、単純な操作のみで効率的な画像検索をおこない得る表示制御装置と、この表示制御装置を有するカメラと、上記表示制御装置に適用される表示制御方法及びこの表示制御方法をコンピュータに実行させる表示制御プログラムを提供することである。
【課題を解決するための手段】
【００２８】
上記目的を達成するために、本発明による画像表示装置は、記録媒体に記録された画像データに基づく画像を表示部に表示させる表示制御装置において、画像の切り換え指示に応じて特定の画像関連情報に基づいて配列される順番で画像の切り換えを管理する画像管理部と、上記特定の画像関連情報を表示するか否かを選択して上記画像管理部による管理に基づいて画像を表示部に表示させる表示制御部とを備え、上記表示制御部は、上記切換指示が連続的になされている場合には、上記特定の画像関連情報に基づいて配列される順番で画像を順次連続的に切り換えると共に、画像の連続的な切り換え表示の実行中には表示中の画像に各対応する上記特定の画像関連情報の表示をおこない、画像の連続的な切り換え表示の実行が停止された後には上記特定の画像関連情報の表示をおこなわないように制御することを特徴とする。
【００２９】
本発明によるカメラは、上記表示制御装置を備えていることを特徴とする。
【００３０】
本発明による表示制御方法は、記録媒体に記録された画像データに基づく画像を特定の画像関連情報に基づいて配列される順番で順次切り換えて表示部に表示させる表示制御方法において、画像の切り換え指示が連続的になされている場合には、上記特定の画像関連情報に基づいて配列される順番で画像を連続的に切り換え表示する制御をおこなうと共に、連続的な切り換え表示の実行中には表示中の画像に各対応する上記特定の画像関連情報の表示をおこない、連続的な切り換え表示の実行が終了した後には上記特定の画像関連情報の表示をおこなわないように制御することを特徴とする。
【００３１】
本発明による表示制御プログラムは、記録媒体に記録された画像データに基づく画像を特定の画像関連情報に基づいて配列される順番で順次切り換えて表示部に表示させる表示制御方法をコンピュータに実行させるプログラムにおいて、画像の切り換え指示が連続的になされている場合には、上記特定の画像関連情報に基づいて配列される順番で画像を連続的に切り換え表示する制御をおこなうと共に、連続的な切り換え表示の実行中には表示中の画像に各対応する上記特定の画像関連情報の表示をおこなうステップと、連続的な切り換え表示の実行が終了した後には上記特定の画像関連情報の表示をおこなわないようにするステップとを有することを特徴とする。
【発明の効果】
【００３２】
本発明によれば、画像と対応する関連情報とを表示する画像表示部を備え、関連情報の表示に関する切り換え操作をせずとも、撮影画像の関連情報の表示が必要となるときには、その関連情報が適切に表示されると共に、関連情報の表示が必要でないときには、関連情報が非表示となるような表示制御を実現し、単純な操作のみで効率的な画像検索をおこない得る表示制御装置と、この表示制御装置を有するカメラと、上記表示制御装置に適用される表示制御方法及びこの表示制御方法をコンピュータに実行させる表示制御プログラムを提供することができる。
【発明を実施するための最良の形態】
【００３３】
以下、図示の実施の形態によって本発明を説明する。
【００３４】
以下に説明する一実施形態は、光学レンズ等によって被写体の光像を結像させる撮影光学系を有し、この撮影光学系を介して入射した被写体からの光束により結像される被写体の光像を撮像素子にて受光し、この撮像素子が光電変換処理をおこなうことにより電子的な画像データを取得すると同時に、画像撮影時点の設定情報や撮影画像の関連情報等（画像関連情報という。また撮影情報ともいう）を取得して、これら画像データ及び画像関連情報のデータを一つのデジタル画像データとして記録媒体に記録し得る画像撮影装置と、記録媒体に記録された画像データを読み込んで必要な各種信号処理を施した後、生成された画像信号に基づく画像を表示部を用いて再生表示し得る画像表示装置とが一体に構成されるデジタルカメラに対して、本発明を適用した場合の例である。
【００３５】
まず、本実施形態の表示制御装置を備えたデジタルカメラの内部構成の概略を、図１を用いて以下に説明する。
【００３６】
図１は、本発明の一実施形態の表示制御装置（デジタルカメラ）の内部構成の概略を示すブロック構成図である。
【００３７】
本デジタルカメラ１は、図１に示すように、本デジタルカメラ１全体の電気的な制御を司る制御回路であるＣＰＵ１０と、被写体側からの光束を透過させ被写体の光像（以下、被写体像という）を結像させる撮影光学系１１と、この撮影光学系１１の光軸Ｏの同軸上に設けられ撮影光学系１１を透過して本デジタルカメラ１の内部に入射する光束の入射量（即ち露出量）を制御するシャッター部１２と、撮影光学系１１により結像される被写体像を受光して光電変換処理をおこない電気的な画像信号を生成し出力する光電変換素子であって例えばＣＣＤ，ＣＭＯＳ等からなる撮像素子１３と、この撮像素子１３から出力される画像信号を受けてデジタル信号に変換する処理等をおこなってデジタル画像信号を出力する撮像部１４と、本デジタルカメラ１において扱う画像信号に関する各種の信号処理をおこなう画像処理部１５と、処理中の画像データ等を一時的に記憶する一時メモリである不揮発性半導体メモリからなるＲＡＭ１６と、本デジタルカメラ１の動作制御のための各種の制御プログラムや各種規定の設定情報等が予め記憶されている不揮発性半導体メモリからなるＲＯＭ１９と、撮影画像や各種の設定をおこなうメニュー設定画面等を表示する表示部２１と、この表示部２１を駆動制御する表示駆動部２０と、本デジタルカメラ１によって取得された画像信号を記録形式の画像データに変換処理し記録媒体１８ａへの記録処理をおこなう画像記憶部１８と、本デジタルカメラ１に設けられる各種の操作部材の操作に連繋して所定の指示信号をＣＰＵ１０へと出力する操作部２２と、画像を表示部２１に表示させるための制御を司る表示制御部１７と、本デジタルカメラ１内の上記各構成ブロック間を連繋し電気信号の流路を構築する制御線２３等を有して主に構成されている。
【００３８】
ＣＰＵ１０は、特に、表示部２１に表示中の画像についての画像管理部１０ａを有している。この画像管理部１０ａは、使用者が操作部２２を用いておこなう切換操作指示に応じて、表示部２１に表示させる画像の切り換え表示の順番を、特定の画像関連情報に基づいて決められる配列によりおこなうよう管理するための制御部である。
【００３９】
画像処理部１５は、撮像部１４から出力されるデジタル画像信号を受けて各種の信号処理をおこなって表示形態の画像信号を生成し、これを表示制御部１７へと出力したり、記録形態の画像信号を生成し、これを画像記憶部１８へと出力する等の処理をおこなう。具体的には、例えば画像処理部１５は、撮像部１４から出力されるデジタル画像信号に対して所定の記録方式に準拠した画像信号に変換処理する信号圧縮処理を施して記録形態の画像信号を生成して、これを画像記憶部１８へと出力する。また、画像処理部１５は、記録媒体１８ａに記録されている画像データを読み出して本デジタルカメラ１で取り扱い得る形態の画像信号に変換処理する信号伸長処理を施して、表示形態の画像信号を生成して、これを表示制御部１７へと出力する。
【００４０】
表示制御部１７は、ＣＰＵ１０の制御下で表示部２１等を制御する表示系の制御回路である。例えば、表示制御部１７は、画像処理部１５において信号処理がなされた画像データを受けて、その画像信号に基づく画像を表示部２１に表示させる制御をおこなう。
【００４１】
また、表示制御部１７は、画像処理部１５において信号処理がなされた画像データに付されている画像関連情報（撮影情報）を読み出して、そのうちの必要な情報について、例えば指定の言語を表す文字や記号等を用いた表示を表示部２１に表示中の画像上の所定の領域に重畳させて表示させる制御をおこなう。
【００４２】
さらに、表示制御部１７は、使用者が操作部２２の所定の操作をおこなうことにより生じる指示信号にしたがって、表示部２１に表示される画像を順次切り換えて表示させる制御や、表示部２１に表示中の画像への画像関連情報の表示，非表示の切り換え制御をおこなう。さらに詳しく言えば、表示制御部１７は、操作部２２の操作によって使用者が予め選択指示した内容のうち特定の画像関連情報の表示または非表示を含む動作形態の選択指示に応じて、動作モードを選択し、画像管理部１０ａによる管理に基づいて画像を表示部２１に表示させる制御をおこなう。
【００４３】
ここで、画像データに含まれる画像関連情報のうちの特定の画像関連情報としては、例えば画像番号情報，撮影日時（年月日）情報，撮影位置情報，アルバム情報，被写体情報（人物名情報）等がある（表１，表２参照）。なお、特定の画像関連情報のうちアルバム情報や被写体情報（人物名情報）等は、画像データに付される形態のほかに、当該画像データとは、別のデータファイルとして記録媒体１８ａやＲＯＭ１９等に記録されるように構成してもよい。
【００４４】
画像記憶部１８における記録媒体１８ａとしては、通常の場合、例えば不揮発性半導体メモリ，フラッシュメモリ等からなる着脱式の記録媒体が主に適用されるが、それ以外にも、例えばＣＤ−ＲＯＭ，ＤＶＤ等の光学記録媒体，ＭＤ等の光磁気記録媒体，テープ媒体等の磁気記録媒体，ＩＣカード等の半導体メモリや、内蔵型のフラッシュメモリ等が用いられる。
【００４５】
本デジタルカメラ１に設けられ、操作部２２と連繋する各種の操作部材としては、本デジタルカメラ１の主電源のオンオフ操作をおこなう電源スイッチや、本デジタルカメラ１を再生モードで起動させるための再生モード起動ボタンや、撮影モードと再生モードの切り換えをおこなう動作モード切換ボタンや、撮影指示等を行うシャッターボタンや、上下左右方向に操作することで所定の指示信号を発生させる上下左右操作ボタン等、一般的なデジタルカメラに備わる操作ボタン類がある。このうち上下左右操作ボタンは、本実施形態においては、
上方向への指示信号を発生させるアップボタン（ＵＰボタン）と、
下方向への指示信号を発生させるダウンボタン（ＤＮボタン）と、
左方向への指示信号を発生させるレフトボタン（左送りボタン）と、
右方向への指示信号を発生させるライトボタン（右送りボタン）と、
の四つの方向指示ボタンによって構成される形態のものが適用されている。
【００４６】
なお、本実施形態においては、以下の説明において、レフトボタンを左送りボタンというものとし、ライトボタンを右送りボタンというものとする。そして、これら左送りボタン及び右送りボタンの二つを総称して画像送りボタンというものとする。
【００４７】
そして、本実施形態において右送りボタンは、例えば表示中の画像よりも配列順番における番号の小さい画像を表示させる場合に操作するボタンとする。また、左送りボタンは、例えば表示中の画像よりも配列順番における番号の大きい画像を表示させる場合に操作するボタンとする。
【００４８】
このように構成される本デジタルカメラ１の作用のうち記録媒体１８ａに記録された画像データに基いて画像を再生表示するための再生モードで動作させる際の作用を以下に説明する。
【００４９】
なお、本デジタルカメラ１の記録媒体１８ａに記録されている画像データの内訳、即ち各画像データに対応する特定の画像関連情報のうち、画像番号情報，撮影日時（年月日）情報，撮影位置情報，アルバム情報，被写体情報（人物名情報）等についての詳細は、表１，表２で示す例を以下の説明にも用いるものとする。
【表１】
0004922149.tif 000002
【表２】
0004922149.tif 000003
【００５０】
図２，図３は、本実施形態のデジタルカメラを再生モードで動作させる際の処理の流れを示すフローチャートである。図４は、本実施形態のデジタルカメラの再生モード動作時における画像送り動作の際の画像送りボタンの操作に応じて変化する表示画面の変化を示す図である。図４においては、画像関連情報の表示条件を連動表示に設定し、かつ画像配列基準を撮影日時とした場合の表示例を示している。なお、図面の煩雑化を避けるために、図４（Ｂ），図４（Ｄ）〜図４（Ｈ），図４（Ｊ）〜図４（Ｍ）では符号を附するのを省略しているが、各領域を示す符号は図４（Ａ），図４（Ｃ）に準ずるものとする。また、図４において点線で示す矢印は、表示変化の途中経過を省略している旨を示すものである。
【００５１】
まず、本デジタルカメラ１が電源オフ状態にあるとき、使用者によって本デジタルカメラ１の操作部材のうち電源スイッチのオン操作がなされると操作部２２より電源オン信号が生じ、同信号はＣＰＵ１０へと出力される。これを受けて本デジタルカメラ１は、ＣＰＵ１０の制御下で内部回路が電源オン状態となる。これにより、本デジタルカメラ１は撮影動作をおこない得る撮影モード状態で起動して撮影待機状態となる。
【００５２】
次いで、使用者によって本デジタルカメラ１の操作部材のうち動作モード切換スイッチが操作されると操作部２２より所定の動作モード切換信号が生じ、同信号はＣＰＵ１０へと出力される。これを受けてＣＰＵ１０は、本デジタルカメラ１の動作モードを現在設定されている撮影モードから再生モードへと切り換える処理をおこなう。これにより、本デジタルカメラ１は画像の再生表示動作をおこない得る再生モードで動作する状態に切り換わり、再生モード動作の処理が開始される（スタート）。
【００５３】
なお、上述の説明では、電源スイッチのオン操作と、動作モード切換スイッチの再生モードへの切換操作の二つの操作によって、本デジタルカメラ１を再生モードで起動する方法を示しているが、これとは別に、次に示す操作によっても、本デジタルカメラ１を再生モードで起動させることが可能である。
【００５４】
即ち、本デジタルカメラ１が電源オフ状態にあるとき、使用者によって本デジタルカメラ１の操作部材のうち再生モード起動ボタンのオン操作がなされると操作部２２より再生モード起動信号が生じ、同信号はＣＰＵ１０へと出力される。これを受けて本デジタルカメラ１は、ＣＰＵ１０の制御下で内部回路が電源オン状態となると同時に、再生モードで起動すべく再生モード動作の処理が開始される（スタート）。
【００５５】
なお、再生モード動作のスタート時点における表示部２１の表示画面は、例えば図４（Ａ）に示すような表示となる。即ち、表示部２１の表示画面２１ａの表示領域２１ｄに、例えば画像番号１の画像が表示されているものとする（図４においては、画像そのものの図示は省略している）。このとき、画面左上隅の所定の領域２１ｂに示される数字は画像番号を示す。また、この時点では画像関連情報は非表示の状態である。
【００５６】
上述したいずれかの方法により、再生モードでの動作処理が開始すると、まず、図２に示すステップＳ１において、ＣＰＵ１０は、操作部２２から生じる指示信号を監視して画像を表示する際の配列に用いる特定の画像関連情報、即ち配列情報を変更する旨の指示信号が生じているか否かの確認をおこなう。ここで、配列情報変更指示信号が確認されなかった場合には、次のステップＳ３の処理に進む。
【００５７】
ステップＳ３において、ＣＰＵ１０は、表示制御部１７に対して撮影日時情報を配列情報として扱うように指示する処理を実行する。その後、ステップＳ４の処理に進む。
【００５８】
つまり、本実施形態のデジタルカメラにおいては、配列情報のデフォルト設定として撮影日時情報が設定されるものとする。したがって、使用者が、表示条件についての指定を特にしなかった場合には、このステップＳ３の処理にて、自動的に「撮影日時情報」が配列情報に設定されることになる。
【００５９】
一方、上述のステップＳ１の処理にて、配列情報変更指示信号が確認された場合には、ステップＳ２の処理に進む。
【００６０】
ステップＳ２において、ＣＰＵ１０は、上述のステップＳ１の処理にて操作部２２から生じた指示信号を受けて、変更指示により使用者が新たに選択した画像関連情報、即ち撮影日時情報以外の画像関連情報であって、例えば撮影位置情報，アルバム情報，被写体情報等のうちの一つを配列情報として扱うように表示制御部１７に対して指示する変更処理を実行する。その後、ステップＳ４の処理に進む。
【００６１】
ステップＳ４において、ＣＰＵ１０の制御により表示制御部１７は、画像記憶部１８の記録媒体１８ａに記録されている全ての画像データに付随する画像関連情報を参照し、各画像データから現在選択されている特定の画像情報（配列情報）を読み込んでＲＡＭ１６に一時的に記憶させた後、この特定の画像情報（配列情報）に基いて画像を配列するための順番を設定する処理を実行する。その後、ステップＳ５の処理に進む。
【００６２】
なお、本実施形態において、上記デジタルカメラ１の記録媒体１８ａに記録されている複数の画像データに付随する画像関連情報の例を上述の表１に示す。
【００６３】
上記表１において、画像番号欄に示す情報は本デジタルカメラ１によって画像データが取得される都度、つまり撮影順に付される通し番号情報である。
【００６４】
撮影日時欄に示す情報は、本デジタルカメラ１によってその画像データが取得された時点の撮影年月日に関する撮影日時情報である。なお、表においては撮影日時情報は、年・月・日の情報としているが、撮影時点の時・分・秒に関する時間情報も含まれている。
【００６５】
撮影位置欄に示す情報は、対応する画像の撮影がなされたときの撮影地の地名等を表す撮影位置情報である。この撮影位置情報は、撮影地において使用者によりその都度入力されるような情報であってもよいし、グローバルポジショニングシステム（Ｇlobal Ｐositioning Ｓystem；ＧＰＳと略記する）を用いて取得した情報等であってもよい。
【００６６】
アルバム欄に示す情報は、使用者によって任意に設定した条件に基いて分類される一群の画像グループを総称するグループ名称の情報であり、例えば本デジタルカメラ１におけるアルバム機能を利用して作成されるアルバム名称等の情報（アルバム情報という）である。
【００６７】
図２に戻って、ステップＳ５において、ＣＰＵ１０は、操作部２２から生じる指示信号を監視して、画像関連情報を表示する際の表示条件を指定する指示信号の有無を確認する。ここで、画像関連情報の表示条件を指定する指示が確認された場合には、ステップＳ７の処理に進む。
【００６８】
ここで、画像関連情報の表示条件とは、
（１）画像関連情報を画面上に常に表示しない「常時非表示」の表示条件、
（２）画像関連情報を画面上に常に表示する「常時表示」の表示条件、
（３）画像関連情報を画像の表示切換に連動させて表示する「連動表示」の表示条件、
がある。
【００６９】
これら画像関連情報の表示条件の指定は、本デジタルカメラ１の各種の設定を行うためのメニュー設定画面下において、予め使用者は、上記三つの表示条件（「常時非表示」，「常時表示」，「連動表示」）のうちのいずれか所望する表示条件の指定をおこなっておく。なお、本実施形態のデジタルカメラにおいては、画像関連情報の表示条件のデフォルト設定として「連動表示」が設定されるものとする。したがって、使用者が、表示条件についての指定を特にしなかった場合には、自動的に「連動表示」が画像関連情報の表示条件として選択設定されるようになっている。
【００７０】
本デジタルカメラ１が再生モードでの動作中において、操作部材のうち画像送りボタン（左送りボタンまたは右送りボタン）を操作する際には、同ボタンを所定の時間以上連続的に押圧操作し続ける「連続押圧」と、同ボタンの押圧操作を所定の時間以内に留める「一回押圧」とを使い分けることによって、表示中の画像の切り換えをおこなうことができるようになっている。
【００７１】
つまり、画像送りボタンの「連続押圧」操作をおこなうと、表示部２１の表示画面に表示中の画像が所定の時間間隔で連続的に切り換わる制御処理がなされる。また、画像送りボタンの「一回押圧」操作をおこなうと、表示部２１の表示画面に表示中の画像が次の順番の画像に切り換わる制御処理がなされる。
【００７２】
この場合において、「連続押圧」操作は、表示条件の設定が「常時表示」，「常時非表示」，「連動表示」のいずれに設定されている場合であっても同様の表示制御がなされるのであるが、「一回押圧」操作は、表示条件の設定が「常時表示」，「常時非表示」のいずれかに設定されている場合と、「連動表示」に設定されている場合とでは、異なる制御がなされる。
【００７３】
各表示条件の設定に対する画像送りボタンの操作による表示制御は、具体的には、次のようになる。
【００７４】
即ち、表示条件の設定が「常時表示」に設定されている場合に、画像送りボタンが「連続押圧」操作されると、表示部２１に表示中の画像が所定の時間間隔で連続的に切り換わると同時に、この画像の切り換え動作に伴って画像関連情報の表示も各画像に対応する画像関連情報が表示されるように切り換え制御がおこなわれる。また、「一回押圧」操作された場合は、表示中の画像及び対応する画像関連情報の表示が、次の画像とその画像関連情報の表示に切り換わる切り換え制御がなされる。
【００７５】
また、表示条件の設定が「常時非表示」に設定されている場合に、画像送りボタンが「連続押圧」操作されると、表示部２１に表示中の画像のみが所定の時間間隔で連続的に切り換わる制御がなされる。「一回押圧」操作の場合には、表示中の画像が次の画像に切り換わる制御がなされる。
【００７６】
そして、表示条件の設定が「連動表示」に設定されている場合には、画像送りボタンが操作される以前の段階では、表示部２１の表示画面には画像のみが表示され画像関連情報は非表示とされる。これに続いて、画像送りボタンが操作されると、その初期段階の時点で「一回押圧」操作と判断されて、表示中の画像が次の画像に切り換わる制御がなされる。ここで、所定時間の経過後に、押圧操作が継続していることが確認された場合には「連続押圧」操作がなされていると判断されて、表示中の画像に対応する画像関連情報が同画像に重畳した形態で表示され、この表示状態が所定の時間継続し、続いて所定の時間間隔で連続的に画像関連情報の表示を伴う画像の表示切り換え制御がなされる。
【００７７】
また、「一回押圧」操作と判断されて次の画像に切り換わり、所定時間が経過した後に、押圧操作が継続していないことが確認された場合、つまり前回の操作が「一回押圧」操作であった場合には、そのまま画像のみを表示し、画像関連情報の非表示状態が維持される。
【００７８】
図２に戻って、ステップＳ７において、ＣＰＵ１０は、操作部２２から生じる指示信号を監視して、使用者により選択指定された画像関連情報の表示条件を設定する処理をおこなう。その後、設定された表示条件に応じた処理が行われる。なお、この場合における詳細な処理シーケンスは、本発明と直接関連しない部分であるので、説明及び図示を省略する。
【００７９】
ただし、ここで、使用者により画像関連情報の表示条件の設定として「連動表示」が選択指示された場合には、ステップＳ８の処理に進む。
【００８０】
なお、本デジタルカメラ１においては、画像関連情報の表示条件の設定は、上述したように使用者が所定の操作部２２の操作ボタンを所定の操作手順にて操作することにより、メニュー設定画面を用いておこなわれる。その操作手順は、従来の一般的なデジタルカメラによっておこなわれる操作であって、メニュー設定画面を用いておこなう各種の条件設定の際の操作に準じるものとし、ここでは具体的な操作手順の説明は省略する。
【００８１】
一方、上述のステップＳ５の処理にて、画像関連情報の表示条件を指定する指示が確認されなかった場合には、ステップＳ６の処理に進む。
【００８２】
ステップＳ６において、ＣＰＵ１０は、画像関連情報の表示条件として「連動表示」を設定する。上述したように、本実施形態においては、画像関連情報の表示条件のデフォルト設定として「連動表示」が設定されるようにしていることによる。その後、ステップＳ８の処理に進む。
【００８３】
続いて、ステップＳ８において、ＣＰＵ１０は、操作部２２から生じる指示信号を監視して、使用者により終了指示の操作がなされたか否かの確認をおこなう。ここで、終了指示が確認された場合には、一連の処理を終了する（エンド）。一方、終了指示が確認されなかった場合には、次のステップＳ９の処理に進む。
【００８４】
ステップＳ９において、ＣＰＵ１０は、操作部２２から生じる指示信号を監視して、使用者により画像送りボタンが操作されたか否か、即ち表示切換指示信号の確認をおこなう。この表示切換指示信号は、例えば操作部材のうちの上下左右操作ボタンのうちの画像送りボタン（左送りボタンまたは右送りボタン）を使用者が操作することで生じる指示信号である。
【００８５】
つまり、本デジタルカメラ１においては、使用者が画像送りボタンを操作することによって、表示部２１に表示中の画像から配列順番にしたがった次の画像または前の画像の表示に切り換えることができるようになっている。
【００８６】
このステップＳ９の処理において、画像送りボタンが操作されたことが確認されなかった場合には、上述のステップＳ８の処理に戻り、以降の処理を繰り返す。また、画像送りボタンの操作が確認された場合には、次のステップＳ１０の処理に進む。つまり、このステップＳ９の処理において、本デジタルカメラ１は、画像送りボタンが操作されるまで待機状態となる。
【００８７】
そして、ステップＳ１０において、ＣＰＵ１０は、表示制御部１７を制御して表示部２１に表示中の画像の次の画像を表示するための表示切換処理を実行する。その後、ステップＳ１１の処理に進む。
【００８８】
ここで、画像送りボタンが操作された場合における表示部２１の表示は、例えば図４（Ｂ）に示すような表示となる。即ち、表示部２１の表示画面２１ａの表示領域２１ｄには、画像番号１の画像から、撮影日時を基準に配列された順番における次の画像である画像番号２の画像に切り換え表示される。この時点でも画像関連情報は非表示の状態のままである。なお、図４（Ａ）においては、画像送りボタンを符号２２ａで示し、符号５０で示す下向き矢印は、当該画像送りボタン２２ａが押圧操作されていることを示している。この点について、図４（Ｂ）〜（Ｈ），（Ｋ），（Ｌ）では、符号を省略しているが、図４（Ａ）と同様のことを示すものである。
【００８９】
ステップＳ１１において、ＣＰＵ１０は、上述のステップＳ９の処理にて確認された画像送りボタンの操作が「一回押圧」操作であるか否かの確認をおこなう。ここでおこなわれる確認は、画像送りボタンの操作時間、つまり当該画像送りボタンの操作により生じる指示信号が継続して出力された時間を検出し、当該指示信号が所定の時間以内であるときには「一回押圧」操作であると判断し、当該指示信号が所定の時間以上連続して継続しているときには「連続押圧」操作であると判断する。
【００９０】
そして、ステップＳ１１の処理にて、上述のステップＳ９の処理において実行された操作が「一回押圧」操作ではなく、「連続押圧」操作であると判断された場合には、図３のステップＳ２１の処理に進む（図２，図３の符号Ａ参照）。一方、上述のステップＳ９の処理において実行された操作が「一回押圧」操作であると判断された場合には、次のステップＳ１２の処理に進む。
【００９１】
ステップＳ１２において、ＣＰＵ１０は、表示制御部１７を介して実行中の処理、即ち表示部２１に表示中の画像のみの表示制御を継続する。その後、ステップＳ８の処理に戻り、以降の処理を繰り返す。つまり、このステップＳ１２の処理において、本デジタルカメラ１は、終了指示の操作または画像送りボタンの操作によって生じる指示信号の待機状態となる。
【００９２】
一方、上述のステップＳ１１の処理にて、画像送りボタンの「連続押圧」操作がなされているものと判断されて、図３のステップＳ２１の処理に進むと、このステップＳ２１において、ＣＰＵ１０は、表示制御部１７を制御して表示部２１に表示中の画像に対応する画像関連情報（本実施形態では撮影日時情報の年月日情報）を重畳させた形態で同表示部２１の表示領域２１ｄ中における所定の領域２１ｃ（図４（Ｃ）参照）に表示する制御をおこなう。その後、ステップＳ２２の処理に進む。
【００９３】
ステップＳ２２において、ＣＰＵ１０は、操作部２２から生じる指示信号を監視して、表示切換指示信号が継続して発生しているか否かの確認をおこなう。これにより、ＣＰＵ１０は、使用者による画像送りボタンの押圧操作が継続しているか否かを判断する。ここで、表示切換指示信号が確認されなかった場合には、使用者による画像送りボタンの押圧操作が中断されたと判断されて、ステップＳ２７の処理に進む。
【００９４】
ステップＳ２７において、ＣＰＵ１０は、表示制御部１７を制御して表示部２１の所定の領域２１ｃに表示中の画像関連情報（図４（Ｊ）参照）を非表示とする表示制御をおこなう。このとき、表示部２１に表示中の画像の表示は維持したままとする。これにより、図４（Ｋ）で示される形態の表示となる。なお、図４（Ｊ）においては、画像送りボタン２２ａの押圧状態が解除されている状態を示している。その後、図２のステップＳ８の処理に戻り、以降の処理を繰り返す。つまり、本デジタルカメラ１は、終了指示の操作または画像送りボタンの操作によって生じる指示信号の待機状態となる。
【００９５】
一方、上述のステップＳ２２の処理において、表示切換指示信号が確認された場合には、使用者による画像送りボタンの押圧操作が継続されているものと判断されて、ステップＳ２３の処理に進む。
【００９６】
ステップＳ２３において、ＣＰＵ１０は、次に表示すべき画像の画像関連情報（本実施形態では配列情報としての撮影日時情報）が表示部２１に表示中の画像の画像関連情報と同一であるか否かの確認をおこなう。ここで、次の画像の画像関連情報が同一ではないことが確認された場合には、ステップＳ２８の処理に進む。
【００９７】
ステップＳ２８において、ＣＰＵ１０は、表示制御部１７を制御して次の画像への表示切り換え制御をおこなうと共に、その画像に対応する関連情報を当該画像に重畳させて表示する表示制御を実行する。その後、ステップＳ２５の処理に進む。
【００９８】
この場合における表示制御は、例えば図４（Ｅ）の表示から図４（Ｆ）の表示へと切り換える際の表示制御である。つまり、図４（Ｅ）に示すように、画像番号２０の画像表示と、この画像に対応する関連情報「２００７／８／８」とが表示されている状態から、図４（Ｆ）に示すように、画像番号２１の画像表示と、この画像に対応する関連情報「２００７／８／２０」との表示に切り換える表示制御がおこなわれる。
【００９９】
一方、図３に戻って、上述のステップＳ２３の処理において、次の画像の画像関連情報が同一であることが確認された場合には、ステップＳ２４の処理に進む。
【０１００】
ステップＳ２４において、ＣＰＵ１０は、表示制御部１７を制御して次の画像への表示切り換え制御をおこなう。このとき、その画像に対応する関連情報は、表示中の関連情報と同一であることから、その関連情報の重畳表示を維持するように制御される。その後、ステップＳ２５の処理に進む。
【０１０１】
この場合における表示制御は、例えば図４（Ｃ）の表示から図４（Ｄ）の表示へと切り換える際の表示制御である。つまり、図４（Ｃ）に示すように、画像番号２の画像表示と、この画像に対応する関連情報「２００７／８／８」とが表示されている状態において、図４（Ｄ）に示すように、画像番号３の画像に切り換える表示制御をおこなう。同時に、関連情報の重畳表示は維持するような表示制御がおこなわれる。なお、図４（Ｆ）の表示から図４（Ｇ）の表示へと切り換える際の表示制御も同様である。
【０１０２】
図３に戻って、ステップＳ２５において、ＣＰＵ１０は、操作部２２から生じる指示信号を監視して、画像送りボタンの押圧力が変化したか否か、詳しくは押圧力が大となったか否かの確認をおこなう。ここで、画像送りボタンの押圧力が大であることが確認された場合には、ステップＳ２６の処理に進む。また、画像送りボタンの押圧力が大ではなく、小である（または変化が生じていない）ことが確認された場合には、ステップＳ２２の処理に戻り、以降の処理を繰り返す。
【０１０３】
ここで、本デジタルカメラ１に適用されている画像送りボタン（左送りボタンまたは右送りボタン）はいずれも二段階押圧式のスイッチからなるものとしている。これに伴い、ＣＰＵ１０は、画像送りボタンの第一段目の押圧操作（押圧力小）により操作部２２から生じる第一信号Ｌと、第二段目の押圧操作（押圧力大）により操作部２２から生じる第二信号Ｈとを、それぞれ区別して検出することができるようになっている。
【０１０４】
そして、この第一信号Ｌと第二信号Ｈとは、画像送り速度の指示信号にもなっている。即ち、使用者は、画像送りボタンの第一段目の押圧操作と第二段目の押圧操作とを使い分けることで、画像送り速度を切り換えて実行することができるようになっている。
【０１０５】
具体的には、ＣＰＵ１０は、第一信号Ｌを検出した場合には、表示制御部１７を制御して画像送り速度を第一の速度（低速度）に設定する。つまり、画像送りボタンが連続押圧操作されたときの一画像の表示時間を比較的長時間（例えば１秒以上の所定の時間）とし長時間間隔で表示切り換え制御をおこなう。
【０１０６】
一方、ＣＰＵ１０は、第二信号Ｈを検出した場合には、表示制御部１７を制御して画像送り速度を第二の速度（高速度）に設定する。つまり、画像送りボタンが連続押圧操作されたときの一画像の表示時間を比較的短時間（例えば１秒未満の所定の短時間）とし短時間間隔で表示切り換え制御をおこなう。
【０１０７】
ここで、図５は、画像送りボタンにより生じる第一信号Ｌ及び第二信号Ｈの出力状態を示す図である。
【０１０８】
上述したように、第一信号Ｌが出力されたときには画像送り速度が低速度となり、第二信号Ｈが出力されたときには画像送り速度が高速度となる。
【０１０９】
図５に示す例では、第一信号Ｌの出力期間は画像番号１〜４と画像番号１０〜１３とし、第二信号Ｈの出力期間は画像番号４〜１０としている。このように、画像送りボタンの押圧力が大のときには、第二信号Ｈが出力されて画像送り速度が高速度となる。したがって、大量の画像を検索する際に、例えば検索目的の画像がある程度絞られているときには、高速度で画像送り操作をおこなうことで、その目的位置への到達時間を短縮できる。
【０１１０】
また、画像送りボタンの押圧力を加減して小としたときには、第一信号Ｌが出力されて画像送り速度が低速度となる。したがって、例えば検索目的の画像の近傍での検索時には、低速度で画像送り操作をおこなうことで、画像送りをしながらも画像や関連情報を目視確認することができる。よって、より効率的な画像検索をおこなうことが可能である。
【０１１１】
図３に戻って、上述のステップＳ２５の処理において、画像送りボタンの押圧力が大であることが確認されてステップＳ２６の処理に進むと、このステップＳ２６において、ＣＰＵ１０は、表示制御部１７を制御して画像の表示切換時間を所定の短時間に設定する処理をおこなう。その後、ステップＳ２２の処理に戻り、以降の処理を繰り返す。
【０１１２】
なお、上述したようにステップＳ２２の処理からステップＳ２７の処理へと分岐した後、図２のステップＳ８の処理に戻る一連の処理シーケンスにおいては、図４（Ｊ）から図４（Ｋ）へと表示が切り換わる。そして、この図４（Ｋ）に示す表示状態において、待機状態となっている。
【０１１３】
この状態において、図４（Ｋ）に示すように、使用者により画像送りボタン２２ａが再度押圧操作されると、画像送り動作は再スタートし、図４（Ｌ）の表示を経て画像送りボタン２２ａの押圧状態が継続しているときには、図４（Ｍ）の表示へと変化することになる。このときの表示制御は、上述の図２のステップＳ９，Ｓ１０，Ｓ１１の処理から図３のステップＳ２１の処理までの処理シーケンスと全く同様である。
【０１１４】
以上説明したように上記一実施形態によれば、記録媒体１８ａに記録された画像データに基づく画像を表示部２１に表示させる表示制御装置としてのデジタルカメラ１において、画像関連情報の表示条件としての「常時非表示」，「常時表示」，「連動表示」の三つの表示条件のうち「連動表示」が設定されているとき、表示制御部１７は、使用者による操作部２２の画像送りボタンの連続操作がなされているとき（切換指示信号が連続的に発生しているとき）には、特定の画像関連情報として撮影日時（年月日）情報に基づいて配列される順番で画像を順次連続的に切り換える制御をし、かつこの連続的な画像切り換え表示の実行中に表示中の画像に対応する特定の画像関連情報（撮影日時情報）を画像に重畳させて表示する表示制御をおこなうようにしている。また、表示制御部１７は、使用者による操作部２２の画像送りボタンの連続操作が停止されたとき（切換指示信号が中断したとき）には、特定の画像関連情報（撮影日時情報）を非表示とする制御をおこなうようにしている。
【０１１５】
したがって、これにより画像の連続的な切り換え表示の実行中には、画像が切り換わる毎に、その画像に対応する撮影日時情報を特定の表示領域に自動的に表示させることができるので、使用者は、画像送り操作の実行中に画像に重畳して表示される撮影日時の表示を目安として目的の画像のある位置を検索することができる。
【０１１６】
そして、使用者は、任意のときに画像送り操作を停止させると、撮影日時の表示は自動的に非表示となり画像のみが表示されるように表示切り換えがおこなわれるので、使用者は、撮影日時情報等の表示または非表示のための切換操作をおこなうことなく、画像のみを確認することができる。
【０１１７】
また、この場合において、目的の画像のあると思われる位置の近傍で、一コマ毎の表示切り換え操作をおこなう際には、表示部２１には画像のみが表示されるので、使用者は、この画像のみの表示を確認しつつ画像検索をおこなうことができる。
【０１１８】
さらに、再度、画像送りボタンの連続操作をおこなって連続的な画像切り換え表示を再スタートさせると、撮影日時の表示が自動的に再開されるので、画像検索を効率的におこなうことができる。
【０１１９】
ところで、上述の一実施形態のデジタルカメラにおける画像送り操作をおこないながらの再生モード時の作用においては、使用者が画像送りボタンの押圧操作（連続押圧または一回押圧）を任意におこなうことで、その表示切換指示信号に応じた画像の表示切り換えの制御がおこなわれるようになっている。
【０１２０】
つまり、使用者は、所望の画像を検索するためには、画像送りボタンの押圧操作の連続押圧操作と一回押圧操作、及び押圧力の加減等の各操作を適宜おこないながら、表示部２１に次々に表示される画像と対応する関連情報とを観察し続ける必要がある。
【０１２１】
そこで、画像送り動作の実行中において、所定の条件となったときには、画像の表示切り換え動作を自動的に一時停止するような制御をおこなえば至便である。このような表示制御を加えた場合の表示例とその作用を、図６を用いて以下に簡単に説明する。
【０１２２】
図６は、上記一実施形態のデジタルカメラの再生モード動作時における画像送り動作の別の表示制御による表示例を示す図である。この図６においても、図４と同様に画像関連情報の表示条件を連動表示に設定し、かつ画像配列基準を撮影日時とした場合の例を示している。また、図面の煩雑化を避けるために、図６（Ｂ），図６（Ｄ）〜図６（Ｈ），図６（Ｊ），図６（Ｌ）〜図６（Ｐ）では符号を附するのを省略しているが、各領域を示す符号は図６（Ａ），図６（Ｃ），図６（Ｆ）等に準ずるものとする。また、図６において点線で示す矢印は、表示変化の途中経過を省略している旨を示すものである。
【０１２３】
この別の表示制御による場合の動作の流れは、基本的には上述の位置実施形態の場合と略同様である。したがって、その処理シーケンスは、図２，図３のフローチャートを参照するものとし、以下図６に基いて、ここで説明する別の表示制御の場合における再生動作時の画像送り動作の流れの概略を説明する。
【０１２４】
まず、デジタルカメラ１が上記所定の手順を経て再生モードでの動作処理が開始される（スタート）と、そのスタート時点における表示部２１の表示画面は、図６（Ａ）に示すように、表示部２１の表示画面２１ａの表示領域２１ｄに、例えば画像番号１の画像が表示され（図６において画像そのものの図示は省略）、同時に画面左上隅の所定の領域２１ｂには画像番号を示す数字が表示される。この時点においては画像関連情報は非表示の状態である。
【０１２５】
この状態において、使用者が画像送りボタン２２ａを押圧すると（符号５０）、その指示信号を受けて表示制御部１７は、図６（Ｂ）に示すように、表示部２１の表示画面２１ａの表示領域２１ｄに、画像番号１の画像に換えて、撮影日時を基準に配列された順番における次の画像である画像番号２の画像に切り換え表示する。この時点でも画像関連情報は非表示の状態のままである。
【０１２６】
ここで、使用者が画像送りボタン２２ａの押圧操作を継続している場合には、図６（Ｃ）に示すように、表示制御部１７の制御によって表示部２１の所定の領域２１ｃに対して、現在表示中の画像（画像番号２）に対応する関連情報「２００７／８／８」を同画像に重畳させた形態で表示させる。
【０１２７】
この状態で、さらに使用者による画像送りボタン２２ａの押圧操作が継続され、連続的に画像の切り換え表示をおこなうよう指示されている場合には、表示中の画像のみを次の画像（画像番号３）に切り換える表示制御が行われる（図６（Ｃ）から図６（Ｄ）の表示変化）。そして、同様の切り換え表示制御が、図６（Ｅ）の表示となるまで繰り返しおこなわれる。
【０１２８】
図６（Ｅ）の表示においては、画像番号２０の画像が表示されている状態である。この画像番号２０は、表１に示すように撮影日時情報として「２００７／８／８」を持つ最後尾の画像である。画像管理部１０ａは、連続的な画像送り動作の実行中において、表示部２１に表示中の画像や次に表示すべき画像について、対応する特定の画像関連情報をも管理検出している。そのために、画像の切換表示がおこなわれる直前の時点で、次の画像で特定の画像関連情報（撮影日時情報）に変化が生じることが検出された場合には、連続的な画像送り動作を一時的に停止する（図６（Ｅ））。
【０１２９】
続けて、図６（Ｆ）に示すように、表示部２１の画像の表示を維持したまま、画像関連情報を非表示とする制御が実行される。
【０１３０】
このように、本例では、画像の連続的な切換表示の実行中に、特定の画像関連情報について、一定範囲以上の変化があった場合には、画像の連続的な切り換え表示の実行を停止させる制御がおこなわれる。そして、切り換え表示が停止されたときには、特定の画像関連情報が非表示になり画像のみが表示されるよう制御される。
【０１３１】
この状態において使用者による画像送りボタン２２ａの押圧操作が継続されていると、この画像の切換表示の一時停止状態は、所定時間の経過後に解除されて、図６（Ｇ）に示すように、次の画像（画像番号２１）への切換表示がなされる。さらに、ここで、画像送りボタン２２ａの押圧操作が継続されていると、続的な画像送り動作が再スタートする。
【０１３２】
この再スタート時の制御処理は、上述の図６（Ａ）から始まるスタート時の制御処理と同様である。したがって、図６（Ｆ）の表示（画像番号２０の画像のみ表示）から次の画像（画像番号２１の画像のみの表示）への切換表示処理によって図６（Ｇ）の表示となった後、図６（Ｈ）に示すように、画像番号２１の画像に対応する特定の画像関連情報（撮影日時情報）が領域２１ｃにおいて重畳表示される。そして、以後特定の画像関連情報（撮影日時情報）に変化が生じるまで画像のみが切り換え表示され、領域２１ｃの画像関連情報の重畳表示は維持される。
【０１３３】
そして、図６（Ｊ）の表示に切り換わったとき、具体的には撮影日時情報として「２００７／８／２０」を持つ最後尾の画像（画像番号２５）が表示されたとき、連続的な画像送り動作の一時停止制御がなされる。そして、図６（Ｋ）に示すように、画像関連情報が非表示になり画像のみが表示される制御がなされる。
【０１３４】
この状態において、使用者が画像送りボタン２２ａの押圧操作を解除したとする。すると、図６（Ｋ）に示す表示、つまり画像番号２５の画像のみが表示されている状態を維持したまま、本デジタルカメラ１は、何らかの操作指示を待機する待機状態となる。なお、図６（Ｋ）の符号５０ａは、画像送りボタン２２ａの押圧操作を解除した旨を示している。
【０１３５】
図６（Ｋ）の状態において、使用者は再度画像送りボタン２２ａを押圧操作することで、画像送り動作の再スタートを実行することができる。
【０１３６】
つまり、図６（Ｋ）に示すように、使用者が画像送りボタン２２ａの押圧操作を解除した後、再度同画像送りボタン２２ａの押圧操作を行なうことにより、画像送り動作の再スタートは実行される。
【０１３７】
画像送り動作が再スタートされると、図６（Ｋ）の表示（画像番号２５）は、図６（Ｌ）に示すように、次の画像（画像番号２６）に切り換わった後、図６（Ｍ）に示すように、表示部２１の画像の表示（画像番号２６）が維持されたまま、対応する画像関連情報を重畳表示させる制御が実行される。
【０１３８】
画像送りボタンの継続操作がなされていると、以後、同様の処理が繰り返され、特定の画像関連情報（撮影日時情報）に変化が生じるまで画像のみの切り換え表示がなされ、かつ領域２１ｃの画像関連情報の重畳表示が維持される。
【０１３９】
そして、図６（Ｍ）の表示に切り換わった後の任意の時点において、使用者が画像送りボタン２２ａの押圧操作を解除すると（符号５０ａ）、例えば、図６（Ｎ）の表示、具体的には撮影日時情報として「２００７／９／２５」を持つ最後尾の画像（画像番号３０）が表示されて、連続的な画像送り動作が停止制御される。その後、図６（Ｐ）に示すように、表示部２１の表示は、画像関連情報が非表示になり、画像のみが表示される制御がなされる。ここで、本デジタルカメラ１は、何らかの操作指示を待機する待機状態となる。
【０１４０】
以上説明したように、上記別の表示制御においては、画像の連続的な切換表示の実行中において、表示中の画像の特定の画像関連情報について、一定範囲以上の変化があった場合には、画像の連続的な切り換え表示の実行は一時的に停止されるよう制御されている。したがって、画像送り動作が所定の表示条件（例えば撮影日時情報）によって一時停止されたときには、特定の画像関連情報が非表示になり画像のみが表示されるよう制御している。
【０１４１】
したがって、これにより連続表示切り換えの実行中に、撮影日時情報に変化があったときには、連続表示切り換えの動作が自動的に一時停止し、かつ表示中の画像に対応する画像関連情報の非表示処理がおこなわれるので、連続的に切り換え表示される画像の中から目的の画像を検索する際に、特定の画像関連情報の変化を見落とすことがない。よって、画像検索の確実性を得ることが可能となる。
【０１４２】
上述の一実施形態による表示例（図４）及び別の表示例（図６）においては、再生モード動作時の表示条件を連動表示に設定し、画像配列基準としては特定の画像関連情報のうち撮影日時情報を取り上げた場合の例を挙げて説明している。これにより、画像送り動作時の画像配列は撮影日時の順番で画像の切換表示がなされると共に、画像送り動作の実行中に表示される画像には撮影日時情報が重畳表示されるようになっている。
【０１４３】
上述したように、本発明が適用される表示制御装置において特定の画像関連情報として扱い得る情報は、上記の撮影日時情報に限らず、このほかにも例えば撮影位置情報やアルバム機能を利用して作成されるアルバム情報等がある。
【０１４４】
したがって、上記一実施形態の表示例（図４）や、上述の別の表示例（図６）で示す画面表示においては、撮影日時情報に加えて撮影位置情報等の他の情報を加えて表示するようにしてもよい。なお、この場合における画像配列は、同時に表示される画像関連情報のうちのいづれか一つが優先されるような制御が必要である。その優先順位については、それぞれの画像関連情報の項目について、予め規定の優先順位をおくようにしてもよいし、使用者が例えばメニュー設定画面や所定の操作部２２を用いて任意に優先順位を設定し得るようにしておけばよい。
【０１４５】
図７に、複数の画像関連情報を画像に重畳表示させた場合の表示形態の一例を示す。
【０１４６】
図７に示す表示形態は、表示部２１の表示画面２１ａの表示領域２１ｄに表示される画像に重畳させて、領域２１ｃに撮影日時情報を表示させると共に、領域２１ｅに撮影位置情報である地名を表示させた場合の表示例である。なお、符号２１ｂは、画像番号を示す数字である。
【０１４７】
この図７に示す表示形態に限らず、各画像関連情報の項目を種々組み合わせることにより、さまざまな表示形態とすることができるのは当然である。
【０１４８】
また、上記一実施形態と別の表示例においては、上述したように撮影日時情報を画像配列基準としているが、これに換えて、撮影位置情報を画像配列基準として利用した場合の表示例を図８に示す。また、図９は、アルバム情報を画像配列基準として利用した場合の表示例を示す。なお、記録媒体１８ａに記録されている画像データの詳細は、表１を参照する。
【０１４９】
まず、図８によって撮影位置情報を画像配列基準とした場合の表示例と、その場合における画像送り動作の流れの概略を説明する。
【０１５０】
まず、デジタルカメラ１が上記所定の手順を経て再生モードでの動作処理が開始される（スタート）と、そのスタート時点における表示部２１の表示画面は、図８（Ａ）に示すように、表示部２１の表示画面２１ａの表示領域２１ｄに、例えば画像番号１の画像が表示され（図８において画像そのものの図示は省略）、同時に画面左上隅の所定の領域２１ｂには画像番号を示す数字が表示される。この時点においては画像関連情報は非表示の状態である。
【０１５１】
この状態において、使用者が画像送りボタン２２ａを押圧すると（符号５０）、その指示信号を受けて表示制御部１７は、図８（Ｂ）に示すように、表示部２１の表示画面２１ａの表示領域２１ｄに、画像番号１の画像に換えて、撮影位置を基準に配列された順番における次の画像である画像番号２の画像に切り換え表示する。この時点でも画像関連情報は非表示の状態のままである。
【０１５２】
ここで、使用者が画像送りボタン２２ａの押圧操作を継続している場合には、図８（Ｃ）に示すように、表示制御部１７の制御によって表示部２１の所定の領域２１ｃに対して、現在表示中の画像（画像番号２）に対応する関連情報「東京」を同画像に重畳させた形態で表示させる。
【０１５３】
この状態で、さらに使用者による画像送りボタン２２ａの押圧操作が継続され、連続的に画像の切り換え表示をおこなうよう指示されている場合には、表示中の画像のみを次の画像（画像番号３）に切り換える表示制御が行われる（図８（Ｃ）から図８（Ｄ）の表示変化）。そして、同様の切り換え表示制御が、図８（Ｅ）の表示となるまで繰り返しおこなわれる。
【０１５４】
図８（Ｅ）の表示は、画像番号６０の画像が表示されている状態である。この画像番号６０は、表１に示すように撮影位置情報として「東京」を持つ最後尾の画像である。画像管理部１０ａは、連続的な画像送り動作の実行中において、表示部２１に表示中の画像や次に表示すべき画像について、対応する特定の画像関連情報をも管理検出している。そのために、画像の切換表示制御と共に、特定の画像関連情報（撮影位置情報）に変化が生じた場合には、画像関連情報の切り換え表示もおこなう。
【０１５５】
即ち、図８（Ｅ）の表示がなされた時点において、さらに画像送りボタン２２ａの押圧操作が継続されている場合には、図８（Ｆ）に示すように、画像番号２１の画像に切り換え表示すると共に、対応する画像関連情報「横浜」を重畳表示させる制御がおこなわれる。
【０１５６】
さらに、使用者による画像送りボタン２２ａの押圧操作が継続されている場合には、同様の画像表示切り換えが連続的になされて、図８（Ｇ）の表示（画像番号２７，撮影位置情報「横浜」；表１も参照）から図８（Ｈ）の表示（画像番号３４，撮影位置情報「京都」；表１も参照）を経て、図８（Ｊ）の表示（画像番号４０，撮影位置情報「京都」；表１も参照）へと連続的に切換表示制御がなされる。
【０１５７】
この図８（Ｊ）の表示に切り換わった時点において、使用者が画像送りボタン２２ａの押圧操作を解除すると（符号５０ａ）、図８（Ｊ）の表示、具体的には撮影位置情報として「京都」を持つ画像（画像番号４０）が表示されて、連続的な画像送り動作が停止制御される。その後、図８（Ｋ）に示すように、表示部２１の表示は、画像関連情報が非表示になり、画像番号４０の画像のみが表示される。
【０１５８】
また、図８（Ｋ）の停止状態において、使用者により画像送りボタン２２ａが再度押圧操作されると、画像送り動作が再スタートする。
【０１５９】
即ち、図８（Ｋ）に示す画像番号４０のみの表示は、図８（Ｌ）に示す画像番号４１のみの表示に切り換わる。この時点では、画像関連位置情報は非表示状態が維持されている。
【０１６０】
そして、この時点でも画像送りボタンが継続操作されていると、図８（Ｍ）に示すように、画像の表示は維持されたまま、対応する画像関連情報「大阪」が画像に重畳表示される。以降同様の動作が続く。
【０１６１】
次に、図９によってアルバム情報を画像配列基準とした場合の表示例と、その場合における画像送り動作の流れの概略を説明する。
【０１６２】
まず、デジタルカメラ１が上記所定の手順を経て再生モードでの動作処理が開始される（スタート）と、そのスタート時点における表示部２１の表示画面は、図９（Ａ）に示すように、表示部２１の表示画面２１ａの表示領域２１ｄに、例えば画像番号１の画像が表示され（図９において画像そのものの図示は省略）、同時に画面左上隅の所定の領域２１ｂには画像番号を示す数字が表示される。この時点においては画像関連情報は非表示の状態である。
【０１６３】
この状態において、使用者が画像送りボタン２２ａを押圧すると（符号５０）、その指示信号を受けて表示制御部１７は、図９（Ｂ）に示すように、表示部２１の表示画面２１ａの表示領域２１ｄに、画像番号１の画像に換えて、アルバム情報を基準に配列された順番における次の画像である画像番号２の画像に切り換え表示する。この時点でも画像関連情報は非表示の状態のままである。
【０１６４】
ここで、使用者が画像送りボタン２２ａの押圧操作を継続している場合には、図９（Ｃ）に示すように、表示制御部１７の制御によって表示部２１の所定の領域２１ｃに対して、現在表示中の画像（画像番号２）に対応する関連情報「Ａ」を同画像に重畳させた形態で表示させる。
【０１６５】
この状態で、さらに使用者による画像送りボタン２２ａの押圧操作が継続され、連続的に画像の切り換え表示をおこなうよう指示されている場合には、表示中の画像のみを次の画像（画像番号３）に切り換える表示制御が行われる（図９（Ｃ）から図９（Ｄ）の表示変化）。そして、同様の切り換え表示制御が、図９（Ｅ）の表示となるまで繰り返しおこなわれる。
【０１６６】
図９（Ｅ）の表示は、画像番号２７の画像が表示されている状態である。この画像番号２７は、表１に示すようにアルバム情報として「Ａ」を持つ画像のうちの最初の一塊の最後尾の画像である。画像管理部１０ａは、連続的な画像送り動作の実行中において、表示部２１に表示中の画像や次に表示すべき画像について、対応する特定の画像関連情報をも管理検出している。そのために、画像の切換表示制御と共に、特定の画像関連情報（アルバム情報）に変化が生じた場合には、その変化に応じた画像関連情報の切り換え表示もおこなう。
【０１６７】
即ち、本例ではアルバム情報を画像配列基準としている。このアルバム情報は、表１に示すように、画像番号に対しては、複数群を形成して記録媒体１８ａ内に散在するように記録されている。そして、アルバム情報を画像配列基準とする場合においては、同一種のアルバム毎に配列するようにしている。したがって、具体的には、まずアルバム情報「Ａ」を有する画像データを配列するとき、画像番号１〜２７，４１〜５２の順番が決められた後、アルバム情報「Ｂ」を有する画像データが続けて配列されるようになる。
【０１６８】
したがって、図９（Ｅ）の表示がなされた時点において、さらに画像送りボタン２２ａの押圧操作が継続されている場合には、画像番号２７の画像及び画像関連情報としてのアルバム情報「Ａ」の表示に換えて、図９（Ｆ）に示すように、アルバム情報「Ａ」を有する画像番号５２の画像へと切り換え制御がなされる。ここで、対応する画像関連情報「Ａ」の重畳表示は維持される。
【０１６９】
さらに、使用者による画像送りボタン２２ａの押圧操作が継続されると、同様の画像表示切り換えが連続的になされて、図９（Ｆ）の表示（画像番号５２，アルバム情報「Ａ浜」；表１も参照）から図９（Ｇ）の表示（画像番号３４，アルバム情報「Ｂ」；表１も参照）を経て、図９（Ｈ）の表示（画像番号４０，撮影位置情報「Ｂ」；表１も参照），図９（Ｊ）の表示（画像番号５３，撮影位置情報「Ｂ」；表１も参照），図９（Ｋ）の表示（画像番号２８，撮影位置情報「Ｃ」；表１も参照），図９（Ｌ）の表示（画像番号２９，撮影位置情報「Ｃ」；表１も参照）へと連続的に切換表示制御がなされる。
【０１７０】
この図９（Ｌ）の表示に切り換わった時点において、使用者が画像送りボタン２２ａの押圧操作を解除すると（符号５０ａ）、図９（Ｍ）の表示、具体的にはアルバム情報として「Ｃ」を持つ画像（画像番号２９）が表示されて、連続的な画像送り動作が停止制御される。このとき、図９（Ｍ）に示すように、表示部２１の表示は、画像関連情報が非表示になり、画像番号２９の画像のみが表示されている。
【０１７１】
そして、再度画像送りボタンが押圧操作されると、画像送り動作は再スタートし、以降同様の動作が続く。
【０１７２】
以上図８，図９によって説明したように、画像配列基準として適用する画像関連情報を、上述の位置実施形態等における撮影日時情報に換えて、撮影位置情報やアルバム情報を適用した場合にも、略同様の制御により同様の動作をさせることが可能である。したがって、画像検索をおこなう際の表示条件を適宜変更することができるので、より効率的で確実に画像の検索をおこなうことができるようになる。
【０１７３】
なお、図８，図９によって示される動作の流れは、基本的には上述の位置実施形態の場合（図４）と略同様であるが、これとは別に、上述の別の表示例に対応する動作の流れと同様に、画像関連情報が変化したときに連続的な画像送り動作を一時停止させる制御に対応させることも容易に可能である。
【０１７４】
また、これまでの実施形態（図４〜図９）では、画像番号については、画像関連情報とは異なり、常に表示されるものとして説明してきたが、これに限るものではなく、画像関連情報と一体的に表示／非表示が切り換わるようにしてもよい。
【０１７５】
上記一実施形態において説明したＣＰＵ１０による処理に関しては、一部または全てをハードウエアで構成してもよい。
【０１７６】
そして、ＣＰＵ１０による制御処理は、ＲＯＭ１９に格納されたソフトウエアプログラムがＣＰＵ１０に供給され、供給されたプログラムに従って上記の動作をさせることによって実現されるものである。したがって、上記ソフトウエアのプログラム自体がＣＰＵ１０の機能を実現することになり、そのプログラム自体は本発明を構成する。
【０１７７】
また、そのプログラムを格納する記録媒体も本発明を構成する。その記録媒体としては、フラッシュメモリ以外でも、ＣＤ−ＲＯＭ，ＤＶＤ等の光学記録媒体，ＭＤ等の光磁気記録媒体，テープ媒体，ＩＣカード等の半導体メモリ等を用いることができる。
【０１７８】
また、上記一実施形態では、画像表示機能を有する表示制御装置としてのデジタルカメラに対して本発明を適用した場合の例に挙げて詳細な説明をしているが、本発明の表示制御装置としては、これに限られるわけではなく、例えばカメラ機能や画像表示機能を有する携帯電話や電子手帳等の電子機器に適用してもよい。
【０１７９】
またさらに、通常のデジタルカメラ等で取得し記録された多数の画像データを蓄積する記録媒体を有し、この記録媒体に記録された画像データに基いて画像の表示をおこなったり、各種のデータ処理をおこない得るように構成される画像表示装置若しくは画像処理装置等の各種の機器に対して本発明を適用することは同様に可能である。
【０１８０】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１８１】
【図１】本発明の一実施形態の表示制御装置（デジタルカメラ）の内部構成の概略を示すブロック構成図。
【図２】本実施形態のデジタルカメラを再生モードで動作させる際の処理の流れを示すフローチャート。
【図３】本実施形態のデジタルカメラを再生モードで動作させる際の処理の流れを示すフローチャート。
【図４】本実施形態のデジタルカメラの再生モード動作時における画像送り動作の際の画像送りボタンの操作に応じて変化する表示画面の変化を示す図。
【図５】本実施形態のデジタルカメラの画像送りボタンにより生じる第一信号Ｌ及び第二信号Ｈの出力状態を示す図。
【図６】一実施形態のデジタルカメラの再生モード動作時における画像送り動作の別の表示制御による表示例を示す図。
【図７】本実施形態のデジタルカメラの表示部に複数の画像関連情報を画像に重畳表示させた場合の表示形態の一例を示す図。
【図８】本実施形態のデジタルカメラにおいて撮影位置情報を画像配列基準として利用した場合の表示例を示す図。
【図９】本実施形態のデジタルカメラにおいてアルバム情報を画像配列基準として利用した場合の表示例を示す図。
【図１０】図１１は、従来のデジタルカメラにおける画像再生表示の際におこなわれる撮影情報の表示，非表示選択指示の操作手順の一例を示す説明図である。
【符号の説明】
【０１８２】
１……デジタルカメラ
１０……ＣＰＵ
１０ａ……画像管理部
１１……撮影光学系
１２……シャッター部
１３……撮像素子
１４……撮像部
１５……画像処理部
１６……ＲＡＭ
１７……表示制御部
１８……画像記憶部
１８ａ……記録媒体
１９……ＲＯＭ
２０……表示駆動部
２１……表示部
２２……操作部
２２ａ……画像送りボタン
２３……制御線
【図１】
0004922149.tif 000004
【図２】
0004922149.tif 000005
【図３】
0004922149.tif 000006
【図４】
0004922149.tif 000007
【図５】
0004922149.tif 000008
【図６】
0004922149.tif 000009
【図７】
0004922149.tif 000010
【図８】
0004922149.tif 000011
【図９】
0004922149.tif 000012
【図１０】
0004922149.tif 000013